(57)【要約】      （修正有）【課題】どうして、宇宙背景輻射の光子の軌道エネルギーは、ビッグバンの光子の軌道エネルギーの４．３５×１０−３倍に成ったのか。太陽の中心は中性子星です。これでできるジェット噴射はどこまで届き何を作ったか。クエーサーのブラックホールでできるジェット噴射はどこまで届き何を作ったか。ガス惑星を作った中心のエネルギーとできた質量の関係について。地球型惑星を作った中心のエネルギーとできた質量の関係について。【解決手段】太陽の原始星の中性子星の軌道とエネルギーによって、ジェットが届く距離を求める。クエーサーの中心のブラックホールの質量が太陽の１０９倍として、ジェットが届く距離を求める。ガス型惑星や星の中心のエネルギーを、地球の質量を１とするガス型惑星や星の質量の値とする。地球型惑星の中心のエネルギーを、８５．６×地球の質量を１とする地球型惑星の質量の値とする。【選択図】図２
2007274897.tif 000002
【特許請求の範囲】
【請求項１】
宇宙背景輻射の光子の軌道エネルギーは、３．７６９×１０−２６Ｊｍです。これは、ビッグバンの以前、軌道エネルギーが、８．６６５×１０−２４Ｊｍの光子です。この事の証明。
どうして、宇宙背景輻射の光子の軌道エネルギーは、ビッグバンの光子の軌道エネルギーの４．３５×１０−３倍になったのか。
私は、２００７年４月１８日に提出した特許願の「請求項１６」で、
宇宙背景輻射の光子の軌道エネルギーは、１０−３ｍ×３．７６９１７×１０−２３Ｊ＝３．７６９１７×１０−２６Ｊｍであり、この軌道エネルギーは、ラブの軌道エネルギー８．６６５×１０−２４Ｊｍが弱まったものです。
どれ位弱まったか。
３．７６９１７×１０−２６Ｊｍ÷（８．６６５×１０−２４Ｊｍ）＝４．３５×１０−３倍に弱まりました。
これは、１３７億光年間、走り続けているうち、光子の軌道エネルギーが衰弱したのです。
宇宙背景輻射の光子は１３７億光年前、ラブの軌道エネルギーでした。と記した。
この事について考える。
ビッグバンの以前の光子の軌道は、１０−２４ｍでした。その光子は現在、１０−３ｍです。光子の軌道は、１０−３ｍ÷１０−２４ｍ＝１０２１倍に成りました。
ビッグバンの以前の光子のエネルギーは、８．６６５Ｊでした。その光子は現在、２．７３Ｋ＝１．３８０６５×１０−２３Ｊ×２．７３＝３．７６９×１０−２３Ｊに成りました。
光子のエネルギーは、３．７６９×１０−２３Ｊ÷８．６６５Ｊ＝４．３４８×１０−２４倍に成りました。
光子の軌道が１０２１倍に成ったので、光子のエネルギーは１０−２１倍に成るはずなのに、４．３４８×１０−２４倍に成りました。
光子のエネルギーは、理論値の何倍に成ったか。
４．３４８×１０−２４倍÷１０−２１倍＝４．３４８×１０−３倍になった。
宇宙背景放射の光子の軌道エネルギーが、ビッグバンの以前の軌道エネルギーの４．３５×１０−３倍に弱まった原因は、軌道ではなくエネルギーが、４．３４８×１０−３倍になったからです。
それで、宇宙背景輻射の光子の軌道エネルギーはビッグバンの以前の軌道エネルギーの、４．３４８×１０−３倍になりました。
即ち、ビッグバンの以前の光子は、約１３７億年間走っているうち、軌道は１０２１倍に成り、エネルギーは、４．３４８×１０−２４倍に成り、エネルギーは理論値より更に、４．３４８×１０−３倍減少しました。
この事によって、軌道エネルギーは４．３４８×１０−３倍減少しました。
この事によって理解できる事。
光子の軌道は１３７億年走っても理論どおりである。
光子のエネルギーは１３７億年走って、理論値の４．３４８×１０−３倍に減少する。
【請求項２】
ビッグバンの以前＝ビッグバンがおきた時、光子の軌道エネルギーはいくらだったのか。
「請求項１」から、ビッグバンの以前の光子の軌道エネルギーは、ラブの公転軌道エネルギーである８．６６５×１０−２４Ｊｍである。
ビッグバンの以前の光子の軌道エネルギーが陽子のラブの軌道エネルギーになった。
ビッグバンの以前の光子の軌道エネルギーが電子のラブの軌道エネルギーになった。
ビッグバンの以前、この光子の軌道は１０−２４ｍであった。
【請求項３】
電子のラブと陽子のラブの質量は、光子の軌道エネルギーからできたのか。
電子のラブと陽子のラブの質量は、ビッグバンの以前にできあがっていたのか。
宇宙背景輻射から、ビッグバンの以前の光子の軌道は１０−２４ｍである事が理解できた。これは公転軌道です。
しかし、宇宙背景輻射には自転軌道も存在するのでしょうか。
宇宙背景輻射には、磁気の光子である横波も存在するのでしょうか。
もし、宇宙背景輻射には、電気の光子である縦波より存在せず、横波である磁気の光子が存在しないのであれば、電子のラブの質量も陽子のラブの質量もビッグバンの以前にできあがっていた事に成ります。
【請求項４】
電子のラブと陽子のラブの質量は光子の軌道エネルギーからできたのであるならば、宇宙背景輻射はどのようでなければならないか。
電子のラブも陽子のラブも自転しながら公転します。それで、電子のラブに成った光子と陽子のラブになった光子も自転しながら公転するはずです。
ビッグバンの以前の光子は自転しながら公転していたはずです。
そうしますと、現在、宇宙背景放射は自転しながら公転する光子であるはずです。
そうでなければ、現在発見されている宇宙背景放射のほかに、光子の自転で有る宇宙背景放射が存在するはずです。
この考えによって、ビッグバンの以前自転しながら公転していた光子が、現在どのようになっているかを考えます。
ビッグバンの以前、陽子のラブに成る光子と、電子のラブになる光子は決まっていました。
・陽子のラブに成る光子は、１回公転する時、４．３４×１０４回自転します。
それで、現在、宇宙背景輻射の１波長には、４．３４×１０４回の自転が残っているはずです。１波長は、４．３４×１０４回の自転でできているはずです。１波長には４．３４×１０４回の自転が螺旋状に残っているはずです。
でも、１３７億年の走り続けたので、その足跡は消えて、１本の波長になっているかもしれません。
もし残っていたとすると、１自転の長さは、２×１０−３ｍ÷（４．３４×１０４回自転）＝４．６０８×１０−８ｍです。
１自転の軌道は、４．６０８×１０−８ｍ÷２＝２．３０４×１０−８ｍです。
１自転のエネルギーは、２．７３Ｋ÷（４．３４×１０４回自転）＝６．２９×１０−５Ｋ
６．２９×１０−５Ｋ×１．３８１×１０−２３Ｊ＝８．６８６×１０−２８Ｊです。
自転軌道エネルギーは、２．３０４×１０−８ｍ×８．６８６×１０−２８Ｊ＝２．００１×１０−３５Ｊｍです。
・電子のラブに成る光子は、１回公転する時、７．９６×１０７回自転します。
それで、現在、宇宙背景輻射の１波長には、７．９６×１０７回の自転が残っているはずです。１波長は、７．９６×１０７回の自転でできているはずです。１波長には７．９６×１０７回の自転が螺旋状に残っているはずです。
でも、１３７億年の走り続けたので、その足跡は消えて、１本の波長になっているかもしれません。
もし残っていたとすると、１自転の長さは、２×１０−３ｍ÷（７．９６×１０７回自転）＝２．５１３×１０−１１ｍです。
１自転の軌道は、２．５１３×１０−１１ｍ÷２＝１．２５７×１０−１１ｍです。
１自転のエネルギーは、２．７３Ｋ÷（７．９６×１０７回自転）＝３．４３×１０−８Ｋ
３．４３×１０−８Ｋ×１．３８１×１０−２３Ｊ＝４．７３７×１０−３１Ｊです。
自転軌道エネルギーは、１．２５７×１０−１１ｍ×４．７３７×１０−３１Ｊ＝５．９５４×１０−４２Ｊｍです。
【請求項５】
どうして、宇宙背景輻射の光子の波長は２×１０−３ｍなのか。
ビッグバンの以前＝ビッグバンがおきた時、光子のエネルギーは８．６６５Ｊで、軌道は１０−２４ｍでした。現在は、軌道は、波長÷２＝２×１０−３ｍ÷２＝１０−３ｍです。
この事について、▲１▼温度と▲２▼軌道から考える。
▲１▼  温度から考える。
ビッグバンの光子の温度は、１０２８℃です。それが、−２７３℃の空間に出て、温度は平衡状態になりました。
１０２８℃と−２７３℃の中間の温度は、約１０（２８＋２）÷２℃＝１０１５℃です。
軌道は、（１０１５）１／２＝３．１６２×１０７倍に成ります。
１０−２４ｍ×３．１６２×１０７＝３．１６２×１０−１７ｍに成ります。
ビッグバンがおきてから、現代まで、地表では、公転軌道は、１０−２４ｍから、１０−１０ｍに成りましたから、１０１４倍になりました。
ビッグバンの光子の軌道は、地表において、３．１６２×１０−１７ｍ×１０１４＝３．１６２×１０−３ｍです。
▲２▼  軌道から考える。
ビッグバンのとき光子の軌道は１０−２４ｍでした。その光子が、−２７３℃の空間に出たので、エネルギーを減らし、平衡状態に成りました。
−２７３℃の場の軌道は、１０−１０ｍ×２７３１／２＝１０−１０ｍ×１６．５２３＝１．６５２×１０−９ｍです。
１０−２４ｍと１．６５２×１０−９ｍの中間は、約、（１．６５２×１０−９−２４）１／２ｍ＝４×１０−１７ｍです。
地表の軌道は、１０−１０ｍですから、ビッグバンがおきた時の軌道の何倍に成ったか。
１０−１０ｍ÷１０−２４ｍ＝１０１４倍になった。
ビッグバンの光子は、−２７３℃と平衡状態のエネルギーに成ったので、４×１０−１７ｍになり、更に、光子は、１３７億年間走って、地表の場において、ビッグバンがおきた時の１０１４倍の軌道になっている。
地表で、ビッグバンの光子の軌道は、４×１０−１７ｍ×１０１４＝４×１０−３ｍです。
【請求項６】
「請求項１」と「請求項５」から、ビッグバンの光子の軌道について何が理解できるか。
ビッグバンの光子の軌道はほぼ理論どおりになっている。
【請求項７】
太陽の中心部は何か。星の中心部は何か。
私は、２００７年４月１８日に提出した特許願の「請求項９」で、「太陽の中心部は何か。星の中心部は何か。」について記した。
これは、間違っていたので訂正する。
太陽の親である第１世代の星の質量は、太陽の質量の８．２４６倍なので、超新星爆発をした後、中央部に中性子星が残る。この中性子星が太陽の中心になった。太陽の中心は中性子星です。
星の中心部は、中性子星かブラックホールです。
第１世代の星の中心部はブラックホールです。
第２世代の星の中心部は、中性子星かブラックホールです。
【請求項８】
原始星が噴出するジェットには２種類ある。１つは中央から噴出するジェットです。１つはその周囲から噴出するジェットです。これはどのようにできるジェットか。
中央から出るジェットは、星の中央に存在する、中性子星やブラックホールから噴出するジェットです。大きなエネルギーのジェット噴射です。
中央の周囲から噴出するジェットは、原始星の中で核融合反応がおきた時、できる電気の光子と磁気の光子が噴出するジェットです。小さなエネルギーのジェット噴射です。
【請求項９】
クエーサーはどのようにできるか。銀河はどのようにできるか。宇宙の銀河が泡のようになっているのはどうしてか。
１０−１６ｍの場は、ブラックホールの場です。いわば、ブラックホールになる素子がたくさん存在する場です。１０−１６ｍの場に存在する自転する電子のラブと陽子のラブを“ブラックホールの素子”と名づける。
“ブラックホールの素子”は、１０−１６ｍの場に自転する電子のラブと陽子のラブです。これは、この場のダークマターです。この場では、電子のラブと陽子のラブは公転できませんので水素は存在しません。１０−１６ｍの場で、電子のラブと陽子のラブは、１０−１６−８ｍ＝１０−２４ｍの軌道で自転しています。
クエーサーの中心が太陽の質量の１０９倍のブラックホールの場合。
クエーサーの中心には、この電子のラブと陽子のラブが、太陽の質量の１０９倍集まったブラックホールがあります。
１Ｋｇには、電子のラブと陽子のラブは約６×１０２６個存在しますから、太陽の質量の１０９倍集まったものには、６×１０２６個×太陽の質量×１０９＝６×１０２６個×１．９８９×１０３０Ｋｇ×１０９＝１．１９３×１０６６個の、その場に自転する電子のラブと陽子のラブ（ブラックホールの素子であるダークマター）が集まりました。
・クエーサーの中心のブラックホールの大きさはいくらか。
４／３πｒ３＝１．１９３×１０６６
ｒ３＝１．１９３×１０６６÷４／３π＝１．１９３×１０６６÷４．１８７＝０．２８５×１０６６
ｒ≒１０２２
１０２２×１０−２４ｍ＝１０−４ｍ
クエーサーの中心のブラックホールの大きさは約１０−４ｍです。
ここから、球状にジェット噴射します。
ジェット噴射は、ブラックホールの電子のラブと陽子のラブが自転してできる磁気の光子です。この磁気の光子が上と下からジェット噴射します。それで、ジェット噴射が当たる部分に自転する電子のラブと陽子のラブの集まりができます。
集まった電子のラブと陽子のラブは、“ブラックホールの素子”ですから、“ブラックホールの素子”の集団ができ、ここに質量の大きな（太陽の質量の何倍もの）ブラックホールができます。
これが、銀河の中央になります。
即ち、宇宙の銀河が泡のようになっているのは、クエーサーから噴出するジェット噴射が長時間続き、ジェット噴射が当たる場に存在する、自転軌道が１０−２４ｍの電子のラブと陽子のラブが集る。この場が“ブラックホールの素子”である、自転軌道が１０−２４ｍの電子のラブと陽子のラブなので、これが集まり、質量の大きなブラックホールになり、これが銀河の中心となる。
銀河はクエーサーを中心とする球上にできた。これが銀河は泡のように並んでいる原因です。
【請求項１０】
クエーサーの中心部が太陽の質量の１０９倍のブラックホールの場合、クエーサーのジェット噴射によって作られた球の半径はいくらか。
太陽の原始星のジェットが届く距離は３×１０１０Ｋｍです。
但しこれは、中央が中性子の場合です。
ブラックホールの場合は、この何倍か。
ブラックホールのＡ÷中性子星のＡ＝７．３７８×１０５÷（１．９６８×１０５）＝３．７４９
３．７４９倍です。
３×１０１０Ｋｍ×３．７４９＝１．１２５×１０１１Ｋｍまで届きます。
太陽の１０９倍のエネルギーで飛ぶジェットは、この１０９倍遠くまで届きますから、
１．１２５×１０１１Ｋｍ×１０９＝１．１２５×１０２０Ｋｍまで届きます。
そして、半径１．１２５×１０２０Ｋｍの球上の部分の“ブラックホールの素子”を活性化し、集め、大きなブラックホールを作り、これが銀河系の中心となります。
クエーサーのジェット噴射によって作られた球上には、たくさんの銀河の中心ができました。
【請求項１１】
クエーサーの中心部が太陽の質量の１０９倍のブラックホールの場合、クエーサーのジェット噴射によって作られた球は、現在どれ位の大きさか。ボイドの空間はいくらか。ボイドができた理由。
１０−１６ｍの場で、球はできました。その球は宇宙膨張と共に膨張しました。
現在は１０−１４ｍの場です。それで、１０−１６ｍから１０−１４ｍの場になったので、１００倍に拡大しました。球は１００倍に拡大しました。現在の球は、
半径１．１２５×１０２０Ｋｍ×１００＝半径１．１２５×１０２２Ｋｍです。
それで、半径１．１２５×１０２２Ｋｍの内側には、銀河は存在しません。ここは、ボイドになっています。
ボイドの空間は、半径１．１２５×１０２２Ｋｍです。
ボイドは、クエーサーでできた磁気の光子が、半径１．１２５×１０２０Ｋｍの内側に存在した１０６６個の“ブラックホールの素子”をクエーサーの中央に集めたのでできました。ボイドはその空間に“ブラックホールの素子”が無くなった、無の空間です。
また、半径１．１２５×１０２２Ｋｍの外側にはたくさんの銀河が存在します。
【請求項１２】
第１世代の星はどのようにできるか。太陽の質量の何倍の星ができるか。
１０−１６ｍの場で、第１世代の星の中央はできた。これはブラックホールです。
このブラックホールから磁気の光子であるジェット噴射が出た。ブラックホールから磁気の光子が放出した。磁気の光子はダークマターをブラックホールに集めた。
自転する電子のラブと陽子のラブは公転し水素になった。
・ブラックホールでできる星の質量はいくらまでか。
星の質量は、星の中央の電子のラブの公転軌道により異なる。この事については、２００７年４月１８日に提出した特許願の「請求項２０」に記した。
星の質量が太陽のＫ倍である場合、星の中央部の電子のラブの公転軌道＝２．７３２×１０−１４ｍ÷Ｋです。
ブラックホールの電子のラブの公転軌道は、１．４３３×１０−１６ｍですから、
１．４３３×１０−１６ｍ＝２．７３２×１０−１４ｍ÷Ｋ
Ｋ＝２．７３２×１０−１４ｍ÷（１．４３３×１０−１６ｍ）＝１９０．６
よって、第１世代の星の中心はブランクホールで、太陽の質量の１９０．６倍までの星ができる。
【請求項１３】
どうしてブラックホールにダークマターである自転している電子のラブと陽子のラブは引き付けられるか。
・ブラックホールの電子のラブと陽子のラブが自転して作る磁気の光子のエネルギーは、ダークマターである自転する電子のラブと陽子のラブが作る磁気の光子のエネルギーの何倍か。
エネルギーは軌道に反比例しますから、
１０−９ｍ÷１０−１６ｍ＝１０７倍です。
それで、ブラックホールにダークマターである自転している電子のラブと陽子のラブは引き付けられる。
【請求項１４】
中性子星の性質について。
２００７年３月７日に提出した特許願である、特願２００７−９８８７２の「請求項１８」では、中性子星は、太陽の質量の８倍以上の星が爆発し、中央の部分が１０１／２＝３．１６２分の１に収縮した、と考えました。
しかし、ブラックホールの場合、２００７年４月１８日に提出した特許願の「請求項２１」で、６．３５３分の１に収縮する事が解りました。
それで、中性子星も６．３５３分の１に収縮するとします。
中性子星の中央の性質について。
2007274897.tif 000006
【請求項１５】
第２世代の星の質量はどのようにできたか。
第２世代の星は、▲１▼ブラックホールを中心にできる星と、▲２▼中性子星を中心にできる星がある。
星の質量は、星の中央の電子のラブの公転軌道により異なる。この事については、２００７年４月１８日に提出した特許願の「請求項２０」に記した。
星の質量が太陽のＫ倍である場合、星の中央部の電子のラブの公転軌道＝２．７３２×１０−１４ｍ÷Ｋです。
▲１▼ブラックホールを中心にできる星の場合。
ブラックホールを中心にできる星は、星の中央部の電子のラブの公転軌道は、第１世代の星が爆発する以前の状態になります。
即ち、星が爆発し、更に、６．３５３分の１に収縮して、ブラックホールになりました。
ブラックホールが星の中に存在する状態は、ブラックホールの軌道の６．３５３倍です。
ブラックホールは、第２世代の星の中で、６．３５３倍の軌道になりました。
第２世代の星の中心のブラックホールの電子のラブの公転軌道は、
ブラックホールの軌道×６．３５３＝１．４３４×１０−１６ｍ×６．３５３＝９．１１０×１０−１６ｍです。
それで、ブラックホールでできる星の質量は太陽の質量の何倍か。
星の中央部の電子のラブの公転軌道＝２．７３２×１０−１４ｍ÷Ｋです
９．１１０×１０−１６ｍ＝２．７３２×１０−１４ｍ÷Ｋ
Ｋ＝２．７３２×１０−１４ｍ÷（９．１１０×１０−１６ｍ）≒３×１０
中央がブラックホールでできる星の質量は太陽の質量の３０倍です。
▲２▼中性子星を中心にできる星の場合。
中性子星を中心にできる星は、星の中央部の電子のラブの公転軌道は、第１世代の星が爆発する以前の状態になります。
即ち、星が爆発し、更に、６．３５３分の１に収縮して、中性子星になりました。
中性子星が星の中に存在する状態は、中性子星の軌道の６．３５３倍です。
中性子星は、第２世代の星の中で、６．３５３倍の軌道になりました。
第２世代の星の中の中心の、中性子星の電子のラブの公転軌道は、
中性子星の軌道×６．３５３＝５．３７６×１０−１６ｍ×６．３５３＝３．４１５×１０−１５ｍです。
それで、中性子星でできる星の質量は太陽の質量の何倍か。
星の中央部の電子のラブの公転軌道＝２．７３２×１０−１４ｍ÷Ｋです
３．４１５×１０−１５ｍ＝２．７３２×１０−１４ｍ÷Ｋ
Ｋ＝２．７３２×１０−１４ｍ÷（３．４１５×１０−１５ｍ）＝８
中央が中性子星でできる星の質量は太陽の質量の８倍です。
【請求項１６】
太陽圏はどうしてできたか。太陽の中心に中性子星が有る事の証明。
太陽圏は、太陽の中心にある中性子星から放出しているジェット噴射である、パルサーが届く範囲です。
・太陽の中心の中性子星が出すジェット噴射（パルサー）はどこまで届いていたか。
これは、私が２００７年４月１８日に提出した特許願の「請求項１３」に記したように考えます。
地球の地磁気は地球の半径の１０倍遠くまで届きます。
それで、太陽の原始星が出す核融合反応でできるジェット噴射は、太陽の半径の、１０×８４．９＝８４９倍まで届いた。
この距離は、太陽の半径×８４９＝６．９６×１０５Ｋｍ×８４９＝５．９０９×１０８Ｋｍ
この距離は木星と火星の間です。
この事から、太陽の中心の中性子星が出すジェット噴射はどこまで届いていたか。
中性子星のＡ÷太陽の中央部のＡ＝１．９６８×１０５÷（３．８７３×１０３）＝５．０８１×１０（倍）
よって、
太陽の半径×８４９×５０．８１＝６．９６×１０５Ｋｍ×８４９×５０．８１＝３．００２×１０１０Ｋｍ
太陽の中心の中性子星が出すジェット噴射は、３．００２×１０１０Ｋｍまで届いた。
太陽圏は、太陽から地球までの距離の８０〜９０倍ですから、９０倍として、
９０×太陽から地球までの距離＝９０×１．５×１０８Ｋｍ＝１．３５×１０１０Ｋｍです。
よって、太陽の中心の中性子星が出すジェット噴射は、太陽圏まで届いた。
この事によって、次の事が証明できる。
▲１▼太陽の中心には、中性子星が存在する。
▲２▼太陽の中心の中性子星が出すジェット噴射が、太陽圏（原始星が作った太陽圏）を作った。
▲３▼太陽の原始星が放出したジェット噴射は、中央の高いジェット噴射は中性子星ででき、周囲の低いジェット噴射は核融合反応でできた。
▲４▼中央の強いジェット噴射は、上下から噴出するので、ぶつかり合った所に小惑星を作った。
▲５▼周囲の弱いジェット噴射は、上下から噴出するので、ぶつかり合った所に小惑星を作った。火星と木星の間の小惑星を作った。
【請求項１７】
エッジワース・カイパーベルトの小惑星はどのようにできたか。
エッジワース・カイパーベルトの小惑星は、太陽から１０１０Ｋｍあたりを回る氷と岩石の塊です。
エッジワース・カイパーベルトの小惑星は、原始星の中央に存在する中性子星が作るジェット噴射である光子が、上下より噴出し、届いた場を暖め、その場の自転する電子のラブや陽子のラブを公転させ、水素を作り、その水素とその場に存在した元素が結合し、できたものです。
【請求項１８】
月はどのようにできたか。
月と地球の距離は３．８４４×１０５Ｋｍです。
地球の半径は６．３７８×１０３Ｋｍです。
地磁気は、地球の半径の１０倍ですから、６．３７８×１０４Ｋｍです。
月と地球の距離は地磁気の何倍になっているか。
３．８４４×１０５Ｋｍ÷（６．３７８×１０４Ｋｍ）＝６．０２７倍です。
もし、月ができる以前、地球の中心のエネルギーは、現在の６倍のエネルギーであったならば、地磁気は６倍遠くまで飛び、その軌道のダークマターを水素にし、その軌道に存在した元素を集め、月ができた。
又次のようにも考えられる。
地磁気ができる軌道にできた月は移動したのかもしれない。
「請求項１９」より、
月のＡ＝地球のＡ×地球の質量を１とした月の質量の値＝８５．６×０．０１２３＝１．０５３
月の中央部の電子のラブの公転軌道＝１．０５８×１０−１０ｍ÷１．０５３＝１．００５×１０−１０ｍ
【請求項１９】
太陽の中心に中性子星が存在する事の証明。ガス体の惑星や星のＡは、地球の質量を１とする惑星や星の質量の値である事の証明。
Ａを星やガス惑星の質量から求める。
太陽の中心のＡはいくらか。
太陽はガス型の星ですから、
地表のエネルギーの何倍か＝Ａ＝地球の質量を１とした惑星や太陽の質量の値＝３３２９４６＝３．３２９×１０５
太陽の中心の電子のラブの公転軌道＝地表の電子のラブの公転軌道÷Ａ＝１．０５８×１０−１０ｍ÷３３２９４６＝３．１７８×１０−１６ｍ
太陽の中心のＡは、３．３２９×１０５です。
太陽の中心の電子のラブの公転軌道は、３．１７８×１０−１６ｍです。
中性子星のＡは、１．９６８×１０５です。
中性子星の電子のラブの公転軌道は、５．３７６×１０−１６ｍです。
それで、Ａはほぼ等しい。
Ａ＝地球の質量を１とした惑星や太陽の質量の値  は正しい。
この事によって、ガス体の惑星や星のＡは、地球の質量を１とするガス惑星や星の質量の値である事が証明された。（但し、このＡは、ガス体の惑星や星ができる時のＡです。）
【請求項２０】
惑星の中央部の電子のラブの公転軌道はいくらか。
▲１▼地球型惑星の場合。
地表のエネルギーの何倍か＝Ａ＝地球の中央部のＡ×地球の質量を１とした地球型惑星の質量の値
惑星の中央部の電子のラブの公転軌道＝地表の電子のラブの公転軌道÷Ａ＝１．０５８×１０−１０ｍ÷（地球の中央部のＡ×地球の質量を１とした惑星の質量の値）
・水星の場合。
水星のＡ＝８５．６×０．０５５２７＝４．７３１
水星の中央部の電子のラブの公転軌道＝１．０５８×１０−１０ｍ÷４．７３１＝２．２３６×１０−１１ｍ
・金星の場合。
金星のＡ＝８５．６×０．８１５＝６９．７６４
金星の中央部の電子のラブの公転軌道＝１．０５８×１０−１０ｍ÷６９．７６４＝１．５１７×１０−１２ｍ
・地球の場合
地球の中央部のＡ＝８５．６×１＝８５．６
地球の中央部の電子のラブの公転軌道＝１．０５８×１０−１０ｍ÷８５．６＝１．２３６×１０−１２ｍ
・火星の場合。
火星のＡ＝８５．６×０．１０７４＝９．１９３
火星の中央部の電子のラブの公転軌道＝１．０５８×１０−１０ｍ÷９．１９３＝１．１５１×１０−１１ｍ
▲２▼ガス惑星の場合。
地表のエネルギーの何倍か＝Ａ＝地球の質量を１としたガス型惑星の質量の値
惑星の中央部の電子のラブの公転軌道＝地表の電子のラブの公転軌道÷Ａ＝１．０５８×１０−１０ｍ÷地球の質量を１とした惑星の質量
・木星の場合。
木星のＡ＝３１７．８３
木星の中央部の電子のラブの公転軌道＝１．０５８×１０−１０ｍ÷３１７．８３＝３．３２９×１０−１３ｍ
木星が星になれなかった理由は、中央部の電子のラブの公転軌道は３．３２９×１０−１３ｍであり、１０−１４ｍになれなかったからです。
・土星の場合。
土星のＡ＝９５．１６
土星の中央部の電子のラブの公転軌道＝１．０５８×１０−１０ｍ÷９５．１６＝１．１１２×１０−１２ｍ
・天王星の場合。
天王星のＡ＝１４．５４
天王星の中央部の電子のラブの公転軌道＝１．０５８×１０−１０ｍ÷１４．５４＝７．２７６×１０−１２ｍ
・海王星の場合。
海王星のＡ＝１７．１５
海王星の中央部の電子のラブの公転軌道＝１．０５８×１０−１０ｍ÷１７．１５＝６．１６９×１０−１２ｍ
【請求項２１】
木星の質量がいくらであれば星になれたのか。
木星の中央部の電子のラブの公転軌道が１０−１４ｍであれば星になれたとする。
質量を地球の質量のｘ倍とする。
１．０５８×１０−１０ｍ÷ｘ＝１０−１４ｍ
ｘ＝１．０５８×１０−１０ｍ÷１０−１４ｍ＝１．０５８×１０４（倍）
木星の質量が地球の質量の１．０５８×１０４倍であれば星になれた。
・これは木星の質量の何倍か。
１．０５８×１０４倍÷３１７．８３＝３．３２９×１０倍
３３．２９倍です。
【請求項２２】
太陽はどのようにできたか。
太陽の中央は、第１世代の親が残してくれた中性子星です。
これから、パルサーであるジェット噴射が放出しました。これが太陽の磁気圏になりました。中性子星でできた磁気の光子が放出し、ダークマターを太陽に集めました。ダークマターは水素に成りました。水素は中央で核融合反応を起こしました。これによってできた電気の光子と磁気の光子は中性子星の周囲からジェット噴射しました。核融合反応でできた磁気の光子が放出し、ダークマターを太陽に集めました。
核融合反応でできるジェット噴射が当たる所に、火星と木星の間の小惑星ができました。
中性子星でできるジェット噴射が当たる所に、エッジワース・カイパーベルトの小惑星ができました。
【請求項２３】
水星や金星や火星に水素が少ない理由。
太陽の核融合でできた電気の光子と磁気の光子は、火星と木星の間まで飛び、磁気圏を作っている。それで、この範囲に存在する自転している電子のラブと陽子のラブ（ダークマター）は太陽に集まり、太陽の水素になった。
この事によって、この磁気圏に存在する水星や金星や火星に水素は少ない。
地球は自分で磁気圏を作り、この範囲に存在する自転している電子のラブと陽子のラブ（ダークマター）を集め、地球の水素にした。
太陽の水素は、中心にある中性子星が作る磁気の光子と、その周囲の核融合反応でできる磁気の光子と電気の光子によって、活性化された自転する電子のラブと陽子のラブ（ダークマター）が集まったものです。
【請求項２４】
ガス惑星である木星や土星の水素はどのように集まったか。太陽の水素はどのように集まったか。
木星や土星や太陽等、ガス状の天体では磁場を持ちます。この磁場となっている磁気の光子と電気の光子が、自転している電子のラブと陽子のラブ（ダークマター）を集める。このダークマターは集まり、水素に成り、水素分子に成り、ガス体となり、惑星や星になる。
それでは、どれだけの水素が集まるのか。
ガス惑星である木星や土星や、太陽のＡは、地球の質量を１とする惑星や星の質量の値です。
木星や土星や太陽の中心の電子のラブの公転軌道は、Ａ分の１です。
それで、木星や土星や太陽の中心はＡ倍のエネルギーになっており、放出する磁気の光子や電気の光子のエネルギーもＡ倍となり、磁気圏の範囲もＡ倍になっている。
Ａ倍の空間からダークマターが集まるので、Ａ倍の水素ができる。
木星や土星や太陽の水素は、Ａ倍の空間の、自転する電子のラブや陽子のラブ（ダークマター）が集まったものです。
太陽のＡは、３３２９４６であり、３３２９４６倍のダークマターが集まり、水素になった。
木星のＡは、３１７．８３であり、３１７．８３倍のダークマターが集まり、水素になった。
土星のＡは、９５．１６であり、９５．６１倍のダークマターが集まり、水素になった。
【請求項２５】
太陽の質量の何倍のガス惑星ができるか。
太陽の質量のＫ倍のガス惑星ができるとする。
ガス惑星の中心部の電子のラブの公転軌道＝太陽の中心部の電子のラブの公転軌道÷Ｋ
Ｋ＝太陽の中心部の電子のラブの公転軌道÷ガス惑星の中心部の電子のラブの公転軌道
Ｋ＝１．０５８×１０−１０ｍ÷（３．３２９４６×１０５）÷ガス惑星の中心部の電子のラブの公転軌道＝３．１７８×１０−１６ｍ÷ガス惑星の中心部の電子のラブの公転軌道
木星の場合。
Ｋ＝３．１７８×１０−１６ｍ÷（３．３２９×１０−１３ｍ）＝９．５４６×１０−４
木星は太陽の質量の９．５４６×１０−４倍です。
【請求項２６】
原始星のジェット噴射はどうして消えたのか。
原始星のジェット噴射が消えて星になりました。原始星のジェット噴射はどうして消えたのか。
ブラックホールからジェット噴射が放出し、ダークマターを集めました。時間と共にブラックホールの電子のラブと陽子のラブのエネルギーは減少し、軌道は大きくなりました。
「請求項１５」より、軌道は６．３５３倍になりました。この時には、星の質量は決まっていました。ジェット噴射によりダークマターは集められたからです。
電子のラブと陽子のラブの自転軌道は１０−２４ｍから、６．３５３×１０−２４ｍになりました。公転軌道で表すと、１０−１６ｍから、６．３５３×１０−１６ｍになりました。
ブラックホールの軌道は、公転軌道で表すと、
ブラックホールの軌道×６．３５３＝１．４３４×１０−１６ｍ×６．３５３＝９．１１０×１０−１６ｍになりました。
それで、ブラックホールのジェット噴射は消えました。エネルギーが６．３５３分の１に成ったからです。
太陽の場合。
太陽の中性子星から磁気の光子はジェット噴射して、ダークマターを集めていました。
この時のＡは、
中性子のＡは、１．９６８×１０５です。電子のラブの公転軌道は５．３７６×１０−１６ｍです。
質量で得たＡは、３．３２９×１０５です。電子のラブの公転軌道は３．１７８×１０−１６ｍです。
時間と共に中性子星の電子のラブと陽子のラブのエネルギーは減少し、軌道は大きくなりました。「請求項１５」より、軌道は６．３５３倍になりました。この時には、太陽の質量は決まっていました。ジェット噴射によりダークマターは集められたからです。
軌道は６．３５３倍になり、エネルギーは６．３５３分の１に成りました。
そして、原始星のジェット噴射は消えました。
この時のＡは、
中性子星のＡは、３．０９８×１０４です。電子のラブの公転軌道は３．４１５×１０−１５ｍです。
質量で得たＡは、５．２４×１０４です。電子のラブの公転軌道は１．９６９×１０−１５ｍです。
原始星のジェット噴射が消えた理由は、ブラックホールや中性子星の電子のラブと陽子のラブの軌道が６．３５３倍に成ったからです。エネルギーが６．３５３分の１に成ったからです。
【請求項２７】
現在、太陽の中心にある中性子星はどのような働きをしているのか。
現在、太陽の中心にある中性子星は、原始星と比較すると、軌道が６．３５３倍になり、エネルギーは６．３５３分の１に成っているが、磁気の光子と電気の光子を作っている。その磁気の光子と電気の光子は、地球の地磁気のように、両極より放出している。そのため太陽圏ができている。
・太陽の中心にある中性子星が作る磁気の光子と電気の光子はどこまで届くか。
「請求項１６」で得た、ジェット噴射が届いた距離の６．３５３分の１まで届く。
ジェット噴射は３．００２×１０１０Ｋｍまで届いたから、
３．００２×１０１０Ｋｍ÷６．３５３＝４．７２５×１０９Ｋｍまで届く。
現在、太陽の中心にある中性子星が作る磁気の光子と電気の光子は４．７２５×１０９Ｋｍまで届いている。
・この磁気の光子と電気の光子は、どのような働きをしているか。
▲１▼太陽風をストップしている。
▲２▼宇宙線が太陽圏に入らないように、太陽圏を守っている。
【請求項２８】
地球ができる時の地球の中心部のＡはいくらだったか。
「請求項２６」より、地球も太陽と同じように、中心部のエネルギーは６倍だったと考えられる。
地球ができる時、地球の中心部のＡは現在のＡの約６倍だったと考えられる。
地球ができる時、地球の中心部のＡ＝８５．６×６＝５１３．６
地球ができる時、地球の中心でできる磁気の光子と電気の光子のエネルギーは、現在の６倍だった。
それで、北極と南極から放出する、地球の中心部でできた磁気の光子と電気の光子は、地球の半径の６０倍遠くまで届いた。磁気の光子と電気の光子が上下からぶつかる軌道に月を作った。
この事によって、「請求項１８」の答えは、月ができる以前、地球の中心のエネルギーは現在のエネルギーの６倍であった、が正解です。
【請求項２９】
地球型惑星ができる時、地球型惑星の中心部のＡと電子のラブの公転軌道はいくらか。
地球型惑星ができる時、中心部のＡは、現在のＡの６倍だった。
地球型惑星ができる時、電子のラブの公転軌道は、現在の電子のラブの公転軌道の６分の１だった。
・地球の場合。
地球ができる時の地球の中心部のＡは、８５．６×６＝５１３．６です。
地球ができる時の地球の中心部の電子のラブの軌道は、１．０５８×１０−１０ｍ÷８５．６÷６＝２．０６×１０−１３ｍです。
・水星の場合。
水星ができる時の水星の中心部のＡは、８５．６×０．０５５２７×６＝２８．３８７です。
水星ができる時の水星の中心部の電子のラブの軌道は、１．０５８×１０−１０ｍ÷２８．３８７＝３．７２７×１０−１２ｍです。
・金星の場合。
金星ができる時の金星の中心部のＡは、８５．６×０．８１５×６＝４１８．５８４です。
金星ができる時の金星の中心部の電子のラブの軌道は、１．０５８×１０−１０ｍ÷４１８．５８４＝２．５２８×１０−１３ｍです。
・火星の場合。
火星ができる時の火星の中心部のＡは、８５．６×０．１０７４×６＝５５．１６１です。
火星ができる時の火星の中心部の電子のラブの軌道は、１．０５８×１０−１０ｍ÷５５．１５８＝１．９１８×１０−１２ｍです。
【請求項３０】
ガス型惑星の固体は全体の何パーセントか。
地球型惑星のＡと質量の関係はどのようになっているか。
地球は、Ａ＝８５．６×６＝５１３．６で、質量は１です。
水星は、Ａ＝８５．６×０．０５５２７×６＝２８．３８７で、質量は０．０５５２７です。
金星は、８５．６×０．８１５×６＝４１８．５８４で、質量は０．８１５です。
火星は、８５．６×０．１０７４×６＝５５．１６１で、質量は０．１０７４です。
地球型惑星は、５１３．６で、質量１を作ります。
ガス惑星のＡと質量の関係は、Ａ＝地球の質量を１としたガス惑星や星の質量の値  です。
木星は、Ａ＝３１７．８３で、質量は３１７．８３です。
土星は、Ａ＝９５．１６で、質量は９５．１６です。
天王星は、Ａ＝１４．５４で、質量は１４．５４です。
海王星は、Ａ＝１７．１５で、質量は１７．１５です。
太陽は、Ａ＝３．３２９４６×１０５で、質量は３．３２９４６×１０５です。
この事によって、地球型惑星はＡ＝５１３．６で、１の質量を作り、ガス型惑星はＡ＝１で、１の質量を作る。
この事によって、宇宙では地球型惑星は誕生し難い事が理解できます。
ガス型惑星の密度：地球型惑星の密度＝１：５１３．６
即ち、同じ質量の場合、ガス体は固体の１０００：１ですから、密度は、０．００１：１＝１：１０００です。
この事から、ガス型惑星の何パーセントかが固体になっているかがわかります。
ガス型惑星の密度と地球型惑星の密度の比は、
ガス型惑星の密度：地球型惑星の密度＝１：５１３．６です。
地球型惑星の質量を１０００としますと、ガス型惑星の質量は、
ガス型惑星の質量＝１０００÷５１３．６＝１．９４７です。
ガス型惑星の１０００のうち、固体をｘとします。
ガス型惑星の１０００のうちｘが固体です。質量はｘです。
ガス型惑星の１０００のうち気体は、１０００−ｘです。質量は、０．００１×（１０００−ｘ）＝１−０．００１ｘです。
この合計の質量は、ｘ＋１−０．００１ｘ＝１＋（１−０．００１）ｘ＝１＋０．９９９ｘです。
１＋０．９９９ｘ＝１．９４７
ｘ＝（１．９４７−１）÷０．９９９＝０．９４８
ガス型惑星の１０００のうち０．９４８が固体です。
ガス型惑星の１０００のうち、１０００−０．９４８＝９９９．０５２が気体です。この質量は、０．００１×９９９．０５２＝０．９９９０５２です。
よって、ガス型惑星の１００のうち、０．０９４８が固体になっています。
ガス型惑星の０．０９４８パーセントが固体になっている。
星の０．０９４８パーセントが固体になっている。
まとめて表にします。
星や惑星の中心部のＡと電子のラブの公転軌道
2007274897.tif 000007
2007274897.tif 000008
【発明の詳細な説明】
【技術分野】
【０００１】  この発明は、宇宙背景輻射、太陽の中心部、原始星が噴出するジェット、クエーサー、銀河が泡状になっている理由、ボイド、第１世代の星、第２世代の星の質量、太陽圏、エッジワース・カイパーベルト、月の誕生、ガス惑星の誕生、原始星のジェット噴射が消えた理由、地球型惑星の誕生、現在の太陽の中の中性子星の働き、星やガス惑星の固体は全体の質量の何パーセントか、に関する。
これらの事を、電子の公転軌道や自転軌道によって理解する。光子の軌道エネルギーによって理解する。エネルギーが地表の何倍であるかによって理解する。宇宙の場を、その場の電子の公転軌道として理解する。
【背景技術】
【０００２】  宇宙背景輻射の波長は、２×１０−３ｍで、温度は２．７３Ｋです。太陽の中心部については知られていない。銀河が泡状になっている理由については知られていない。ボイドができた理由については知られていない。太陽の原始星が作った太陽圏については知られていない。
エッジワース・カイパーベルトの誕生については知られていない。月の誕生については知られていない。ガス惑星の誕生のエネルギーについては知られていない。地球型惑星の誕生のエネルギーについては知られていない。原始星のジェット噴射が消えた理由については知られていない。現在の太陽の中心の中性子星の働きについては知られていない。星やガス惑星の固体は全体の質量の何パーセントかについては知られていない。
【発明の開示】
どうして、宇宙背景輻射の光子の軌道エネルギーは、ビッグバンの光子の軌道エネルギーの４．３５×１０−３倍になったのか。軌道は１０−３ｍであるから、１０２１倍になっている。それなら、エネルギーは１０２１分の１になっているはずです。
しかし、光子のエネルギーは、３．７６９×１０−２３Ｊ÷８．６６５Ｊ＝４．３４８×１０−２４倍に成りました。
ビッグバンの光子は、軌道は理論どおりで、エネルギーは４．３５×１０−３倍になった。
ビッグバンの光子の軌道エネルギーは８．６６５×１０−２４Ｊｍであり、これはラブの軌道エネルギーです。
それならば、ビッグバンの光子は自転しながら公転していたので、宇宙背景輻射には自転の光子も現れるはずです。
太陽の親である第１世代の星の質量は、太陽の質量の８．２４６倍なので、太陽の中心部は中性子星です。太陽の原始星が放出するジェット噴射は、中心の中性子星から出すジェット噴射と核融合反応でできたジェット噴射です。
【発明が解決しようとする課題】
【０００３】［１］宇宙背景輻射の光子の軌道エネルギーは、３．７６９×１０−２６Ｊｍです。これは、ビッグバンの以前、軌道エネルギーが、８．６６５×１０−２４Ｊｍの光子です。この事の証明。どうして、宇宙背景輻射の光子の軌道エネルギーは、ビッグバンの光子の軌道エネルギーの４．３５×１０−３倍になったのか。
［２］ビッグバンの以前＝ビッグバンがおきた時、光子の軌道エネルギーはいくらだったのか。
［３］電子のラブと陽子のラブの質量は、光子の軌道エネルギーからできたのか。電子のラブと陽子のラブの質量は、ビッグバンの以前にできあがっていたのか。
［４］電子のラブと陽子のラブの質量は光子の軌道エネルギーからできたのであるならば、宇宙背景輻射はどのようでなければならないか。
［５］どうして、宇宙背景輻射の光子の波長は２×１０−３ｍなのか。
［６］「請求項１」と「請求項５」から、光子の軌道について何が理解できるか。
［７］太陽の中心部は何か。星の中心部は何か。
［８］原始星が噴出するジェットには２種類ある。１つは中央から噴出するジェットです。１つはその周囲から噴出するジェットです。これはどのようにできるジェットか。
［９］クエーサーはどのようにできるか。銀河はどのようにできるか。宇宙の銀河が泡のようになっているのはどうしてか。
［１０］クエーサーの中心部が太陽の質量の１０９倍のブラックホールの場合、クエーサーのジェット噴射によって作られた球の半径はいくらか。
［１１］クエーサーの中心部が太陽の質量の１０９倍のブラックホールの場合、クエーサーのジェット噴射によって作られた球は、現在どれ位の大きさか。ボイドの空間はいくらか。ボイドができた理由。
［１２］第１世代の星はどのようにできるか。太陽の質量の何倍までの星ができるか。
［１３］どうしてブラックホールにダークマターである自転している電子のラブと陽子のラブは引き付けられるか。
［１４］中性子星の性質について。
［１５］第２世代の星の質量はどのようにできたか。
［１６］太陽風が止まるところはどこか。太陽の中心に中性子星が有る事の証明。
［１７］エッジワース・カイパーベルトの小惑星はどのようにできたか。
［１８］月はどのようにできたか。
［１９］太陽の中心に中性子星が存在する事の証明。ガス型の惑星や星のＡは、地球の質量を１とする惑星や星の質量の値、である事の証明
［２０］惑星の中心部の電子のラブの公転軌道はいくらか。
［２１］木星の質量がいくらであれば星になれたのか。
［２２］太陽はどのようにできたか。
［２３］水星や金星や火星に水素が少ない理由。
［２４］ガス惑星である木星や土星の水素はどのように集まったか。太陽の水素はどのように集まったか。
［２５］太陽の質量の何倍のガス惑星ができるか。
［２６］原始星のジェット噴射はどうして消えたのか。
［２７］現在、太陽の中心にある中性子星はどのような働きをしているのか。
［２８］地球ができる時の地球の中心部のＡはいくらだったか。
［２９］地球型惑星ができる時、地球型惑星の中心部のＡと電子のラブの公転軌道はいくらか。
［３０］ガス型惑星の固体は全体の何パーセントか。
【発明を解決するための手段】
【０００４】  クエーサーは１０−１６ｍの場でできる。この場の電子のラブと陽子のラブはブラックホールのエネルギーを持つ。これを“ブラックホールの素子”と名づける。この“ブラックホールの素子”が集まって、高エネルギーのブラックホールとなる。これがクエーサーの中心のブラックホールである。
クエーサーの中心のブラックホールから、ブラックホールで作られた磁気の光子が、上下からジェット噴射する。磁気の光子が当たった部分の“ブラックホールの素子”が活性化し、集合し、高エネルギーのブラックホールができる。これが銀河の中心になった。
即ち、銀河の中心は、クエーサーを中心とする球上にできた。これが泡宇宙になった理由です。
第２世代の星の質量を計算する時、星の中で、中心のブラックホールの電子のラブの公転軌道は６．３５３倍に成っています。
質量ができた時点で、星の中のブラックホールの電子のラブの軌道は６．３５３倍になった。
それで、ジェット噴射は止まった。
太陽が原始星のとき、太陽の中性子星の電子のラブの公転軌道は、５．３７６×１０−１６ｍです。Ａは１．９６８×１０５です。これは、核融合反応でできたジェット噴射の、
１．９６８×１０５÷（３．８７３×１０３）＝５０．８１倍です。
それで、５０．８１倍遠い距離まで届く。
この距離の軌道に、原始星が作った太陽圏とエッジワース・カイパーベルトの小惑星ができた。
惑星のＡはいくらか。
地球型惑星の場合。
Ａ＝地球の中央のＡ×地球の質量を１とする惑星の質量の値
ガス型惑星の場合。
太陽の中心のＡ＝中性子星のＡ＝１．９６８×１０５です。
質量とＡの関係は、太陽の中心のＡ＝地球の質量を１とした太陽の質量の値＝３．３２９４６×１０５それで、ガス型惑星の中心のＡ＝地球の質量を１としたガス型惑星の質量の値
どれだけの質量の惑星に成るか。
惑星や星の中心部の電子のラブの軌道はＡ分の１であり、エネルギーはＡ倍です。
Ａ倍の磁気の光子と電気の光子で集めるダークマターの量はＡに比例するので、惑星や星の質量はＡに比例する。
太陽の質量の何倍の質量のガス型惑星ができるか。
Ｋ倍の質量のガス型惑星ができるとすると、
Ｋ＝太陽の中心部の電子のラブの公転軌道÷ガス惑星の中心部の電子のラブの公転軌道
【発明の実施態様】
【０００５】１．宇宙背景輻射の光子の軌道エネルギーは、３．７６９×１０−２６Ｊｍです。これは、ビッグバンの以前、軌道エネルギーが、８．６６５×１０−２４Ｊｍの光子です。この事の証明。
どうして、宇宙背景輻射の光子の軌道エネルギーは、ビッグバンの光子の軌道エネルギーの４．３５×１０−３倍になったのか。
私は、２００７年４月１８日に提出した特許願の「請求項１６」で、
宇宙背景輻射の光子の軌道エネルギーは、１０−３ｍ×３．７６９１７×１０−２３Ｊ＝３．７６９１７×１０−２６Ｊｍであり、この軌道エネルギーは、ラブの軌道エネルギー８．６６５×１０−２４Ｊｍが弱まったものです。
どれ位弱まったか。
３．７６９１７×１０−２６Ｊｍ÷（８．６６５×１０−２４Ｊｍ）＝４．３５×１０−３倍に弱まりました。
これは、１３７億光年間、走り続けているうち、光子の軌道エネルギーが衰弱したのです。
宇宙背景輻射の光子は１３７億光年前、ラブの軌道エネルギーでした。と記した。
この事について考える。
ビッグバンの以前の光子の軌道は、１０−２４ｍでした。その光子は現在、１０−３ｍです。光子の軌道は、１０−３ｍ÷１０−２４ｍ＝１０２１倍に成りました。
ビッグバンの以前の光子のエネルギーは、８．６６５Ｊでした。その光子は現在、２．７３Ｋ＝１．３８０６５×１０−２３Ｊ×２．７３＝３．７６９×１０−２３Ｊに成りました。
光子のエネルギーは、３．７６９×１０−２３Ｊ÷８．６６５Ｊ＝４．３４８×１０−２４倍に成りました。
光子の軌道が１０２１倍に成ったので、光子のエネルギーは１０−２１倍に成るはずなのに、４．３４８×１０−２４倍に成りました。
光子のエネルギーは、理論値の何倍に成ったか。
４．３４８×１０−２４倍÷１０−２１倍＝４．３４８×１０−３倍になった。
宇宙背景放射の光子の軌道エネルギーが、ビッグバンの以前の軌道エネルギーの４．３５×１０−３倍に弱まった原因は、軌道ではなくエネルギーが、４．３４８×１０−３倍になったからです。
それで、宇宙背景輻射の光子の軌道エネルギーはビッグバンの以前の軌道エネルギーの、４．３４８×１０−３倍になりました。
即ち、ビッグバンの以前の光子は、約１３７億年間走っているうち、軌道は１０２１倍に成り、エネルギーは、４．３４８×１０−２４倍に成り、エネルギーは理論値より更に、４．３４８×１０−３倍減少しました。
この事によって、軌道エネルギーは４．３４８×１０−３倍減少しました。
この事によって理解できる事。
光子の軌道は１３７億年走っても理論どおりである。
光子のエネルギーは１３７億年走って、理論値の４．３４８×１０−３倍に減少する。
２．ビッグバンの以前＝ビッグバンがおきた時、光子の軌道エネルギーはいくらだったのか。
「請求項１」から、ビッグバンの以前の光子の軌道エネルギーは、ラブの公転軌道エネルギーである８．６６５×１０−２４Ｊｍである。
ビッグバンの以前の光子の軌道エネルギーが陽子のラブの軌道エネルギーになった。
ビッグバンの以前の光子の軌道エネルギーが電子のラブの軌道エネルギーになった。
ビッグバンの以前、この光子の軌道は１０−２４ｍであった。
３．電子のラブと陽子のラブの質量は、光子の軌道エネルギーからできたのか。電子のラブと陽子のラブの質量は、ビッグバンの以前にできあがっていたのか。
宇宙背景輻射から、ビッグバンの以前の光子の軌道は１０−２４ｍである事が理解できた。これは公転軌道です。
しかし、宇宙背景輻射には自転軌道も存在するのでしょうか。
宇宙背景輻射には、磁気の光子である横波も存在するのでしょうか。
もし、宇宙背景輻射には、電気の光子である縦波より存在せず、横波である磁気の光子が存在しないのであれば、電子のラブの質量も陽子のラブの質量もビッグバンの以前にできあがっていた事に成ります。
４．電子のラブと陽子のラブの質量は光子の軌道エネルギーからできたのであるならば、宇宙背景輻射はどのようでなければならないか。
電子のラブも陽子のラブも自転しながら公転します。それで、電子のラブに成った光子と陽子のラブになった光子も自転しながら公転するはずです。
ビッグバンの以前の光子は自転しながら公転していたはずです。
そうしますと、現在、宇宙背景放射は自転しながら公転する光子であるはずです。
そうでなければ、現在発見されている宇宙背景放射のほかに、光子の自転で有る宇宙背景放射が存在するはずです。
この考えによって、ビッグバンの以前自転しながら公転していた光子が、現在どのようになっているかを考えます。
ビッグバンの以前、陽子のラブに成る光子と、電子のラブになる光子は決まっていました。
・陽子のラブに成る光子は、１回公転する時、４．３４×１０４回自転します。
それで、現在、宇宙背景輻射の１波長には、４．３４×１０４回の自転が残っているはずです。１波長は、４．３４×１０４回の自転でできているはずです。１波長には４．３４×１０４回の自転が螺旋状に残っているはずです。
でも、１３７億年の走り続けたので、その足跡は消えて、１本の波長になっているかもしれません。
もし残っていたとすると、１自転の長さは、２×１０−３ｍ÷（４．３４×１０４回自転）＝４．６０８×１０−８ｍです。
１自転の軌道は、４．６０８×１０−８ｍ÷２＝２．３０４×１０−８ｍです。
１自転のエネルギーは、２．７３Ｋ÷（４．３４×１０４回自転）＝６．２９×１０−５Ｋ
６．２９×１０−５Ｋ×１．３８１×１０−２３Ｊ＝８．６８６×１０−２８Ｊです。
自転軌道エネルギーは、２．３０４×１０−８ｍ×８．６８６×１０−２８Ｊ＝２．００１×１０−３５Ｊｍです。
・電子のラブに成る光子は、１回公転する時、７．９６×１０７回自転します。
それで、現在、宇宙背景輻射の１波長には、７．９６×１０７回の自転が残っているはずです。１波長は、７．９６×１０７回の自転でできているはずです。１波長には７．９６×１０７回の自転が螺旋状に残っているはずです。
でも、１３７億年の走り続けたので、その足跡は消えて、１本の波長になっているかもしれません。
もし残っていたとすると、１自転の長さは、２×１０−３ｍ÷（７．９６×１０７回自転）＝２．５１３×１０−１１ｍです。
１自転の軌道は、２．５１３×１０−１１ｍ÷２＝１．２５７×１０−１１ｍです。
１自転のエネルギーは、２．７３Ｋ÷（７．９６×１０７回自転）＝３．４３×１０−８Ｋ
３．４３×１０−８Ｋ×１．３８１×１０−２３Ｊ＝４．７３７×１０−３１Ｊです。
自転軌道エネルギーは、１．２５７×１０−１１ｍ×４．７３７×１０−３１Ｊ＝５．９５４×１０−４２Ｊｍです。
５．どうして、宇宙背景輻射の光子の波長は２×１０−３ｍなのか。
ビッグバンの以前＝ビッグバンがおきた時、光子のエネルギーは８．６６５Ｊで、軌道は１０−２４ｍでした。現在は、軌道は、波長÷２＝２×１０−３ｍ÷２＝１０−３ｍです。
この事について、▲１▼温度と▲２▼軌道から考える。
▲１▼温度から考える。
ビッグバンの光子の温度は、１０２８℃です。それが、−２７３℃の空間に出て、温度は平衡状態になりました。
１０２８℃と−２７３℃の中間の温度は、約１０（２８＋２）÷２℃＝１０１５℃です。
軌道は、（１０１５）１／２＝３．１６２×１０７倍に成ります。
１０−２４ｍ×３．１６２×１０７＝３．１６２×１０−１７ｍに成ります。
ビッグバンがおきてから、現代まで、地表では、公転軌道は、１０−２４ｍから、１０−１０ｍに成りましたから、１０１４倍になりました。
ビッグバンの光子の軌道は、地表において、３．１６２×１０−１７ｍ×１０１４＝３．１６２×１０−３ｍです。
▲２▼軌道から考える。
ビッグバンのとき光子の軌道は１０−２４ｍでした。その光子が、−２７３℃の空間に出たので、エネルギーを減らし、平衡状態に成りました。
−２７３℃の場の軌道は、１０−１０ｍ×２７３１／２＝１０−１０ｍ×１６．５２３＝１．６５２×１０−９ｍです。
１０−２４ｍと１．６５２×１０−９ｍの中間は、約、（１．６５２×１０−９−２４）１／２ｍ＝４×１０−１７ｍです。
地表の軌道は、１０−１０ｍですから、ビッグバンがおきた時の軌道の何倍に成ったか。
１０−１０ｍ÷１０−２４ｍ＝１０１４倍になった。
ビッグバンの光子は、−２７３℃と平衡状態のエネルギーに成ったので、４×１０−１７ｍになり、更に、光子は、１３７億年間走って、地表の場において、ビッグバンがおきた時の１０１４倍の軌道になっている。
地表で、ビッグバンの光子の軌道は、４×１０−１７ｍ×１０１４＝４×１０−３ｍです。
６．「請求項１」と「請求項５」から、ビッグバンの光子の軌道について何が理解できるか。
ビッグバンの光子の軌道はほぼ理論どおりになっている。
７．太陽の中心部は何か。星の中心部は何か。
私は、２００７年４月１８日に提出した特許願の「請求項９」で、「太陽の中心部は何か。星の中心部は何か。」について記した。
これは、間違っていたので訂正する。
太陽の親である第１世代の星の質量は、太陽の質量の８．２４６倍なので、超新星爆発をした後、中央部に中性子星が残る。この中性子星が太陽の中心になった。太陽の中心は中性子星です。
星の中心部は、中性子星かブラックホールです。
第１世代の星の中心部はブラックホールです。
第２世代の星の中心部は、中性子星かブラックホールです。
８．原始星が噴出するジェットには２種類ある。１つは中央から噴出するジェットです。
１つはその周囲から噴出するジェットです。これはどのようにできるジェットか。
中央から出るジェットは、星の中央に存在する、中性子星やブラックホールから噴出するジェットです。大きなエネルギーのジェット噴射です。
中央の周囲から噴出するジェットは、原始星の中で核融合反応がおきた時、できる電気の光子と磁気の光子が噴出するジェットです。小さなエネルギーのジェット噴射です。
９．クエーサーはどのようにできるか。銀河はどのようにできるか。宇宙の銀河が泡のようになっているのはどうしてか。
１０−１６ｍの場は、ブラックホールの場です。いわば、ブラックホールになる素子がたくさん存在する場です。１０−１６ｍの場に存在する自転する電子のラブと陽子のラブを“ブラックホールの素子”と名づける。
“ブラックホールの素子”は、１０−１６ｍの場に自転する電子のラブと陽子のラブです。これは、この場のダークマターです。この場では、電子のラブと陽子のラブは公転できませんので水素は存在しません。１０−１６ｍの場で、電子のラブと陽子のラブは、１０−１６−８ｍ＝１０−２４ｍの軌道で自転しています。
クエーサーの中心が太陽の質量の１０９倍のブラックホールの場合。
クエーサーの中心には、この電子のラブと陽子のラブが、太陽の質量の１０９倍集まったブラックホールがあります。
１Ｋｇには、電子のラブと陽子のラブは約６×１０２６個存在しますから、太陽の質量の１０９倍集まったものには、６×１０２６個×太陽の質量×１０９＝６×１０２６個×１．９８９×１０３０Ｋｇ×１０９＝１．１９３×１０６６個の、その場に自転する電子のラブと陽子のラブ（ブラックホールの素子であるダークマター）が集まりました。
・クエーサーの中心のブラックホールの大きさはいくらか。
４／３πｒ３＝１．１９３×１０６６
ｒ３＝１．１９３×１０６６÷４／３π＝１．１９３×１０６６÷４．１８７＝０．２８５×１０６６
ｒ≒１０２２
１０２２×１０−２４ｍ＝１０−４ｍ
クエーサーの中心のブラックホールの大きさは約１０−４ｍです。
ここから、球状にジェット噴射します。
ジェット噴射は、ブラックホールの電子のラブと陽子のラブが自転してできる磁気の光子です。この磁気の光子が上と下からジェット噴射します。それで、ジェット噴射が当たる部分に自転する電子のラブと陽子のラブの集まりができます。
集まった電子のラブと陽子のラブは、“ブラックホールの素子”ですから、“ブラックホールの素子”の集団ができ、ここに質量の大きな（太陽の質量の何倍もの）ブラックホールができます。
これが、銀河の中央になります。
即ち、宇宙の銀河が泡のようになっているのは、クエーサーから噴出するジェット噴射が長時間続き、ジェット噴射が当たる場に存在する、自転軌道が１０−２４ｍの電子のラブと陽子のラブが集る。この場が“ブラックホールの素子”である、自転軌道が１０−２４ｍの電子のラブと陽子のラブなので、これが集まり、質量の大きなブラックホールになり、これが銀河の中心となる。
銀河はクエーサーを中心とする球上にできた。これが銀河は泡のように並んでいる原因です。
１０．クエーサーの中心部が太陽の質量の１０９倍のブラックホールの場合、クエーサーのジェット噴射によって作られた球の半径はいくらか。
太陽の原始星のジェットが届く距離は３×１０１０Ｋｍです。
但しこれは、中央が中性子の場合です。
ブラックホールの場合は、この何倍か。
ブラックホールのＡ÷中性子星のＡ＝７．３７８×１０５÷（１．９６８×１０５）＝３．７４９
３．７４９倍です。
３×１０１０Ｋｍ×３．７４９＝１．１２５×１０１１Ｋｍまで届きます。
太陽の１０９倍のエネルギーで飛ぶジェットは、この１０９倍遠くまで届きますから、
１．１２５×１０１１Ｋｍ×１０９＝１．１２５×１０２０Ｋｍまで届きます。
そして、半径１．１２５×１０２０Ｋｍの球上の部分の“ブラックホールの素子”を活性化し、集め、大きなブラックホールを作り、これが銀河系の中心となります。
クエーサーのジェット噴射によって作られた球上には、たくさんの銀河の中心ができました。
１１．クエーサーの中心部が太陽の質量の１０９倍のブラックホールの場合、クエーサーのジェット噴射によって作られた球は、現在どれ位の大きさか。ボイドの空間はいくらか。
ボイドができた理由。
１０−１６ｍの場で、球はできました。その球は宇宙膨張と共に膨張しました。
現在は１０−１４ｍの場です。それで、１０−１６ｍから１０−１４ｍの場になったので、１００倍に拡大しました。球は１００倍に拡大しました。現在の球は、
半径１．１２５×１０２０Ｋｍ×１００＝半径１．１２５×１０２２Ｋｍです。
それで、半径１．１２５×１０２２Ｋｍの内側には、銀河は存在しません。ここは、ボイドになっています。
ボイドの空間は、半径１．１２５×１０２２Ｋｍです。
ボイドは、クエーサーでできた磁気の光子が、半径１．１２５×１０２０Ｋｍの内側に存在した１０６６個の“ブラックホールの素子”をクエーサーの中央に集めたのでできました。ボイドはその空間に“ブラックホールの素子”が無くなった、無の空間です。
また、半径１．１２５×１０２２Ｋｍの外側にはたくさんの銀河が存在します。
１２．第１世代の星はどのようにできるか。太陽の質量の何倍の星ができるか。
１０−１６ｍの場で、第１世代の星の中央はできた。これはブラックホールです。
このブラックホールから磁気の光子であるジェット噴射が出た。ブラックホールから磁気の光子が放出した。磁気の光子はダークマターをブラックホールに集めた。
自転する電子のラブと陽子のラブは公転し水素になった。
・ブラックホールでできる星の質量はいくらまでか。
星の質量は、星の中央の電子のラブの公転軌道により異なる。この事については、２００７年４月１８日に提出した特許願の「請求項２０」に記した。
星の質量が太陽のＫ倍である場合、星の中央部の電子のラブの公転軌道＝２．７３２×１０−１４ｍ÷Ｋです。
ブラックホールの電子のラブの公転軌道は、１．４３３×１０−１６ｍですから、
１．４３３×１０−１６ｍ＝２．７３２×１０−１４ｍ÷Ｋ
Ｋ＝２．７３２×１０−１４ｍ÷（１．４３３×１０−１６ｍ）＝１９０．６
よって、第１世代の星の中心はブラックホールで、太陽の質量の１９０．６倍までの星ができる。
１３．どうしてブラックホールにダークマターである自転している電子のラブと陽子のラブは引き付けられるか。
・ブラックホールの電子のラブと陽子のラブが自転して作る磁気の光子のエネルギーは、ダークマターである自転する電子のラブと陽子のラブが作る磁気の光子のエネルギーの何倍か。
エネルギーは軌道に反比例しますから、
１０−９ｍ÷１０−１６ｍ＝１０７倍です。
それで、ブラックホールにダークマターである自転している電子のラブと陽子のラブは引き付けられる。
１４．中性子星の性質について。
２００７年３月７日に提出した特許願である、特願２００７−９８８７２の「請求項１８」では、中性子星は、太陽の質量の８倍以上の星が爆発し、中央の部分が１０１／２＝３．１６２分の１に収縮した、と考えました。
しかし、ブラックホールの場合、２００７年４月１８日に提出した特許願の「請求項２１」で、６．３５３分の１に収縮する事が解りました。
それで、中性子星も６．３５３分の１に収縮するとします。
中性子星の中央の性質について。
2007274897.tif 000003
１５．第２世代の星の質量はどのようにできたか。
第２世代の星は、▲１▼ブラックホールを中心にできる星と、▲２▼中性子星を中心にできる星がある。
星の質量は、星の中央の電子のラブの公転軌道により異なる。この事については、２００７年４月１８日に提出した特許願の「請求項２０」に記した。
星の質量が太陽のＫ倍である場合、星の中央部の電子のラブの公転軌道＝２．７３２×１０−１４ｍ÷Ｋです。
▲１▼ブラックホールを中心にできる星の場合。
ブラックホールを中心にできる星は、星の中央部の電子のラブの公転軌道は、第１世代の星が爆発する以前の状態になります。
即ち、星が爆発し、更に、６．３５３分の１に収縮して、ブラックホールになりました。
ブラックホールが星の中に存在する状態は、ブラックホールの軌道の６．３５３倍です。
ブラックホールは、第２世代の星の中で、６．３５３倍の軌道になりました。
第２世代の星の中心のブラックホールの電子のラブの公転軌道は、
ブラックホールの軌道×６．３５３＝１．４３４×１０−１６ｍ×６．３５３＝９．１１０×１０−１６ｍです。
それで、ブラックホールでできる星の質量は太陽の質量の何倍か。
星の中央部の電子のラブの公転軌道＝２．７３２×１０−１４ｍ÷Ｋです
９．１１０×１０−１６ｍ＝２．７３２×１０−１４ｍ÷Ｋ
Ｋ＝２．７３２×１０−１４ｍ÷（９．１１０×１０−１６ｍ）≒３×１０
中央がブラックホールでできる星の質量は太陽の質量の３０倍です。
▲２▼中性子星を中心にできる星の場合。
中性子星を中心にできる星は、星の中央部の電子のラブの公転軌道は、第１世代の星が爆発する以前の状態になります。
即ち、星が爆発し、更に、６．３５３分の１に収縮して、中性子星になりました。
中性子星が星の中に存在する状態は、中性子星の軌道の６．３５３倍です。
中性子星は、第２世代の星の中で、６．３５３倍の軌道になりました。
第２世代の星の中の中心の、中性子星の電子のラブの公転軌道は、
中性子星の軌道×６．３５３＝５．３７６×１０−１６ｍ×６．３５３＝３．４１５×１０−１５ｍです。
それで、中性子星でできる星の質量は太陽の質量の何倍か。
星の中央部の電子のラブの公転軌道＝２．７３２×１０−１４ｍ÷Ｋです
３．４１５×１０−１５ｍ＝２．７３２×１０−１４ｍ÷Ｋ
Ｋ＝２．７３２×１０−１４ｍ÷（３．４１５×１０−１５ｍ）＝８
中央が中性子星でできる星の質量は太陽の質量の８倍です。
１６．太陽圏はどうしてできたか。太陽の中心に中性子星が有る事の証明。
太陽圏は、太陽の中心にある中性子星から放出しているジェット噴射である、パルサーが届く範囲です。
・太陽の中心の中性子星が出すジェット噴射（パルサー）はどこまで届いていたか。
これは、私が２００７年４月１８日に提出した特許願の「請求項１３」に記したように考えます。
地球の地磁気は地球の半径の１０倍遠くまで届きます。
それで、太陽の原始星が出す核融合反応でできるジェット噴射は、太陽の半径の、１０×８４．９＝８４９倍まで届いた。
この距離は、太陽の半径×８４９＝６．９６×１０５Ｋｍ×８４９＝５．９０９×１０８Ｋｍ
この距離は木星と火星の間です。
この事から、太陽の中心の中性子星が出すジェット噴射はどこまで届いていたか。
中性子星のＡ÷太陽の中央部のＡ＝１．９６８×１０５÷（３．８７３×１０３）＝５．０８１×１０（倍）
よって、
太陽の半径×８４９×５０．８１＝６．９６×１０５Ｋｍ×８４９×５０．８１＝３．００２×１０１０Ｋｍ
太陽の中心の中性子星が出すジェット噴射は、３．００２×１０１０Ｋｍまで届いた。
太陽圏は、太陽から地球までの距離の８０〜９０倍ですから、９０倍として、
９０×太陽から地球までの距離＝９０×１．５×１０８Ｋｍ＝１．３５×１０１０Ｋｍです。
よって、太陽の中心の中性子星が出すジェット噴射は、太陽圏まで届いた。
この事によって、次の事が証明できる。
▲１▼太陽の中心には、中性子星が存在する。
▲２▼太陽の中心の中性子星が出すジェット噴射が、太陽圏（原始星が作った太陽圏）を作った。
▲３▼太陽の原始星が放出したジェット噴射は、中央の高いジェット噴射は中性子星ででき、周囲の低いジェット噴射は核融合反応でできた。
▲４▼中央の強いジェット噴射は、上下から噴出するので、ぶつかり合った所に小惑星を作った。
▲５▼周囲の弱いジェット噴射は、上下から噴出するので、ぶつかり合った所に小惑星を作った。火星と木星の間の小惑星を作った。
１７．エッジワース・カイパーベルトの小惑星はどのようにできたか。
エッジワース・カイパーベルトの小惑星は、太陽から１０１０Ｋｍあたりを回る氷と岩石の塊です。
エッジワース・カイパーベルトの小惑星は、原始星の中央に存在する中性子星が作るジェット噴射である光子が、上下より噴出し、届いた場を暖め、その場の自転する電子のラブや陽子のラブを公転させ、水素を作り、その水素とその場に存在した元素が結合し、できたものです。
１８．月はどのようにできたか。
月と地球の距離は３．８４４×１０５Ｋｍです。
地球の半径は６．３７８×１０３Ｋｍです。
地磁気は、地球の半径の１０倍ですから、６．３７８×１０４Ｋｍです。
月と地球の距離は地磁気の何倍になっているか。
３．８４４×１０５Ｋｍ÷（６．３７８×１０４Ｋｍ）＝６．０２７倍です。
もし、月ができる以前、地球の中心のエネルギーは、現在の６倍のエネルギーであったならば、地磁気は６倍遠くまで飛び、その軌道のダークマターを水素にし、その軌道に存在した元素を集め、月ができた。
又次のようにも考えられる。
地磁気ができる軌道にできた月は移動したのかもしれない。
「請求項１９」より、
月のＡ＝地球のＡ×地球の質量を１とした月の質量の値＝８５．６×０．０１２３＝１．０５３
月の中央部の電子のラブの公転軌道＝１．０５８×１０−１０ｍ＋１．０５３＝１．００５×１０−１０ｍ
１９．太陽の中心に中性子星が存在する事の証明。ガス体の惑星や星のＡは、地球の質量を１とする惑星や星の質量の値である事の証明。
Ａを星やガス惑星の質量から求める。
太陽の中心のＡはいくらか。
太陽はガス型の星ですから、
地表のエネルギーの何倍か＝Ａ＝地球の質量を１とした惑星や太陽の質量の値＝３３２９４６＝３．３２９×１０５
太陽の中心の電子のラブの公転軌道＝地表の電子のラブの公転軌道÷Ａ＝１．０５８×１０−１０ｍ÷３３２９４６＝３．１７８×１０−１６ｍ
太陽の中心のＡは、３．３２９×１０５です。
太陽の中心の電子のラブの公転軌道は、３．１７８×１０−１６ｍです。
中性子星のＡは、１．９６８×１０５です。
中性子星の電子のラブの公転軌道は、５．３７６×１０−１６ｍです。
それで、Ａはほぼ等しい。
Ａ＝地球の質量を１とした惑星や太陽の質量の値  は正しい。
この事によって、ガス体の惑星や星のＡは、地球の質量を１とするガス惑星や星の質量の値である事が証明された。（但し、このＡは、ガス体の惑星や星ができる時のＡです。）
２０．惑星の中央部の電子のラブの公転軌道はいくらか。
▲１▼地球型惑星の場合。
地表のエネルギーの何倍か＝Ａ＝地球の中央部のＡ×地球の質量を１とした地球型惑星の質量の値
惑星の中央部の電子のラブの公転軌道＝地表の電子のラブの公転軌道÷Ａ＝１．０５８×１０−１０ｍ÷（地球の中央部のＡ×地球の質量を１とした惑星の質量の値）
・水星の場合。
水星のＡ＝８５．６×０．０５５２７＝４．７３１
水星の中央部の電子のラブの公転軌道＝１．０５８×１０−１０ｍ÷４．７３１＝２．２３６×１０−１１ｍ
・金星の場合。
金星のＡ＝８５．６×０．８１５＝６９．７６４
金星の中央部の電子のラブの公転軌道＝１．０５８×１０−１０ｍ÷６９．７６４＝１．５１７×１０−１２ｍ
・地球の場合
地球の中央部のＡ＝８５．６×１＝８５．６
地球の中央部の電子のラブの公転軌道＝１．０５８×１０−１０ｍ÷８５．６＝１．２３６×１０−１２ｍ
・火星の場合。
火星のＡ＝８５．６×０．１０７４＝９．１９３
火星の中央部の電子のラブの公転軌道＝１．０５８×１０−１０ｍ÷９．１９３＝１．１５１×１０−１１ｍ
▲２▼ガス惑星の場合。
地表のエネルギーの何倍か＝Ａ＝地球の質量を１としたガス型惑星の質量の値
惑星の中央部の電子のラブの公転軌道＝地表の電子のラブの公転軌道÷Ａ＝１．０５８×１０−１０ｍ÷地球の質量を１とした惑星の質量
・木星の場合。
木星のＡ＝３１７．８３
木星の中央部の電子のラブの公転軌道＝１．０５８×１０−１０ｍ÷３１７．８３＝３．３２９×１０−１３ｍ
木星が星になれなかった理由は、中央部の電子のラブの公転軌道は３．３２９×１０−１３ｍであり、１０−１４ｍになれなかったからです。
・土星の場合。
土星のＡ＝９５．１６
土星の中央部の電子のラブの公転軌道＝１．０５８×１０−１０ｍ÷９５．１６＝１．１１２×１０−１２ｍ
・天王星の場合。
天王星のＡ＝１４．５４
天王星の中央部の電子のラブの公転軌道＝１．０５８×１０−１０ｍ÷１４．５４＝７．２７６×１０−１２ｍ
・海王星の場合。
海王星のＡ＝１７．１５
海王星の中央部の電子のラブの公転軌道＝１．０５８×１０−１０ｍ÷１７．１５＝６．１６９×１０−１２ｍ
２１．木星の質量がいくらであれば星になれたのか。
木星の中央部の電子のラブの公転軌道が１０−１４ｍであれば星になれたとする。
質量を地球の質量のｘ倍とする。
１．０５８×１０−１０ｍ÷ｘ＝１０−１４ｍ
ｘ＝１．０５８×１０−１０ｍ÷１０−１４ｍ＝１．０５８×１０４（倍）
木星の質量が地球の質量の１．０５８×１０４倍であれば星になれた。
・これは木星の質量の何倍か。
１．０５８×１０４倍÷３１７．８３＝３．３２９×１０倍
３３．２９倍です。
２２．太陽はどのようにできたか。
太陽の中央は、第１世代の親が残してくれた中性子星です。
これから、パルサーであるジェット噴射が放出しました。これが太陽の磁気圏になりました。中性子星でできた磁気の光子が放出し、ダークマターを太陽に集めました。ダークマターは水素に成りました。水素は中央で核融合反応を起こしました。これによってできた電気の光子と磁気の光子は中性子星の周囲からジェット噴射しました。核融合反応でできた磁気の光子が放出し、ダークマターを太陽に集めました。
核融合反応でできるジェット噴射が当たる所に、火星と木星の間の小惑星ができました。
中性子星でできるジェット噴射が当たる所に、エッジワース・カイパーベルトの小惑星ができました。
２３．水星や金星や火星に水素が少ない理由。
太陽の核融合でできた電気の光子と磁気の光子は、火星と木星の間まで飛び、磁気圏を作っている。それで、この範囲に存在する自転している電子のラブと陽子のラブ（ダークマター）は太陽に集まり、太陽の水素になった。
この事によって、この磁気圏に存在する水星や金星や火星に水素は少ない。
地球は自分で磁気圏を作り、この範囲に存在する自転している電子のラブと陽子のラブ（ダークマター）を集め、地球の水素にした。
太陽の水素は、中心にある中性子星が作る磁気の光子と、その周囲の核融合反応でできる磁気の光子と電気の光子によって、活性化された自転する電子のラブと陽子のラブ（ダークマター）が集まったものです。
２４．ガス惑星である木星や土星の水素はどのように集まったか。太陽の水素はどのように集まったか。
木星や土星や太陽等、ガス状の天体では磁場を持ちます。この磁場となっている磁気の光子と電気の光子が、自転している電子のラブと陽子のラブ（ダークマター）を集める。このダークマターは集まり、水素に成り、水素分子に成り、ガス体となり、惑星や星になる。
それでは、どれだけの水素が集まるのか。
ガス惑星である木星や土星や、太陽のＡは、地球の質量を１とする惑星や星の質量の値です。
木星や土星や太陽の中心の電子のラブの公転軌道は、Ａ分の１です。
それで、木星や土星や太陽の中心はＡ倍のエネルギーになっており、放出する磁気の光子や電気の光子のエネルギーもＡ倍となり、磁気圏の範囲もＡ倍になっている。
Ａ倍の空間からダークマターが集まるので、Ａ倍の水素ができる。
木星や土星や太陽の水素は、Ａ倍の空間の、自転する電子のラブや陽子のラブ（ダークマター）が集まったものです。
太陽のＡは、３３２９４６であり、３３２９４６倍のダークマターが集まり、水素になった。
木星のＡは、３１７．８３であり、３１７．８３倍のダークマターが集まり、水素になった。
土星のＡは、９５．１６であり、９５．６１倍のダークマターが集まり、水素になった。
２５．太陽の質量の何倍のガス惑星ができるか。
太陽の質量のＫ倍のガス惑星ができるとする。
ガス惑星の中心部の電子のラブの公転軌道＝太陽の中心部の電子のラブの公転軌道÷Ｋ
Ｋ＝太陽の中心部の電子のラブの公転軌道÷ガス惑星の中心部の電子のラブの公転軌道
Ｋ＝１．０５８×１０−１０ｍ÷（３．３２９４６×１０５）÷ガス惑星の中心部の電子のラブの公転軌道＝３．１７８×１０−１６ｍ÷ガス惑星の中心部の電子のラブの公転軌道
木星の場合。
Ｋ＝３．１７８×１０−１６ｍ÷（３．３２９×１０−１３ｍ）＝９．５４６×１０−４
木星は太陽の質量の９．５４６×１０−４倍です。
２６．原始星のジェット噴射はどうして消えたのか。
原始星のジェット噴射が消えて星になりました。原始星のジェット噴射はどうして消えたのか。
ブラックホールからジェット噴射が放出し、ダークマターを集めました。時間と共にブラックホールの電子のラブと陽子のラブのエネルギーは減少し、軌道は大きくなりました。
「請求項１５」より、軌道は６．３５３倍になりました。この時には、星の質量は決まっていました。ジェット噴射によりダークマターは集められたからです。
電子のラブと陽子のラブの自転軌道は１０−２４ｍから、６．３５３×１０−２４ｍになりました。公転軌道で表すと、１０−１６ｍから、６．３５３×１０−１６ｍになりました。
ブラックホールの軌道は、公転軌道で表すと、
ブラックホールの軌道×６．３５３＝１．４３４×１０−１６ｍ×６．３５３＝９．１１０×１０−１６ｍになりました。
それで、ブラックホールのジェット噴射は消えました。エネルギーが６．３５３分の１に成ったからです。
太陽の場合。
太陽の中性子星から磁気の光子はジェット噴射して、ダークマターを集めていました。
この時のＡは、
中性子のＡは、１．９６８×１０５です。電子のラブの公転軌道は５．３７６×１０−１６ｍです。
質量で得たＡは、３．３２９×１０５です。電子のラブの公転軌道は３．１７８×１０−１６ｍです。
時間と共に中性子星の電子のラブと陽子のラブのエネルギーは減少し、軌道は大きくなりました。「請求項１５」より、軌道は６．３５３倍になりました。この時には、太陽の質量は決まっていました。ジェット噴射によりダークマターは集められたからです。
軌道は６．３５３倍になり、エネルギーは６．３５３分の１に成りました。
そして、原始星のジェット噴射は消えました。
この時のＡは、
中性子星のＡは、３．０９８×１０４です。電子のラブの公転軌道は３．４１５×１０−１５ｍです。
質量で得たＡは、５．２４×１０４です。電子のラブの公転軌道は１．９６９×１０−１５ｍです。
原始星のジェット噴射が消えた理由は、ブラックホールや中性子星の電子のラブと陽子のラブの軌道が６．３５３倍に成ったからです。エネルギーが６．３５３分の１に成ったからです。
２７．現在、太陽の中心にある中性子星はどのような働きをしているのか。
現在、太陽の中心にある中性子星は、原始星と比較すると、軌道が６．３５３倍になり、エネルギーは６．３５３分の１に成っているが、磁気の光子と電気の光子を作っている。その磁気の光子と電気の光子は、地球の地磁気のように、両極より放出している。そのため太陽圏ができている。
・太陽の中心にある中性子星が作る磁気の光子と電気の光子はどこまで届くか。
「請求項１６」で得た、ジェット噴射が届いた距離の６．３５３分の１まで届く。
ジェット噴射は３．００２×１０１０Ｋｍまで届いたから、
３．００２×１０１０Ｋｍ÷６．３５３＝４．７２５×１０９Ｋｍまで届く。
現在、太陽の中心にある中性子星が作る磁気の光子と電気の光子は４．７２５×１０９Ｋｍまで届いている。
・この磁気の光子と電気の光子は、どのような働きをしているか。
▲１▼太陽風をストップしている。
▲２▼宇宙線が太陽圏に入らないように、太陽圏を守っている。
２８．地球ができる時の地球の中心部のＡはいくらだったか。
「請求項２６」より、地球も太陽と同じように、中心部のエネルギーは６倍だったと考えられる。
地球ができる時、地球の中心部のＡは現在のＡの約６倍だったと考えられる。
地球ができる時、地球の中心部のＡ＝８５．６×６＝５１３．６
地球ができる時、地球の中心でできる磁気の光子と電気の光子のエネルギーは、現在の６倍だった。
それで、北極と南極から放出する、地球の中心部でできた磁気の光子と電気の光子は、地球の半径の６０倍遠くまで届いた。磁気の光子と電気の光子上下からぶつかる軌道に月を作った。
この事によって、「請求項１８」の答えは、月ができる以前、地球の中心のエネルギーは現在のエネルギーの６倍であった、が正解です。
２９．地球型惑星ができる時、地球型惑星の中心部のＡと電子のラブの公転軌道はいくらか。
地球型惑星ができる時、中心部のＡは、現在のＡの６倍だった。
地球型惑星ができる時、電子のラブの公転軌道は、現在の電子のラブの公転軌道の６分の１だった。
・地球の場合。
地球ができる時の地球の中心部のＡは、８５．６×６＝５１３．６です。
地球ができる時の地球の中心部の電子のラブの軌道は、１．０５８×１０−１０ｍ÷８５．６÷６＝２．０６×１０−１３ｍです。
・水星の場合。
水星ができる時の水星の中心部のＡは、８５．６×０．０５５２７×６＝２８．３８７です。
水星ができる時の水星の中心部の電子のラブの軌道は、１．０５８×１０−１０ｍ÷２８．３８７＝３．７２７×１０−１２ｍです。
・金星の場合。
金星ができる時の金星の中心部のＡは、８５．６×０．８１５×６＝４１８．５８４です。
金星ができる時の金星の中心部の電子のラブの軌道は、１．０５８×１０−１０ｍ÷４１８．５８４＝２．５２８×１０−１３ｍです。
・火星の場合。
火星ができる時の火星の中心部のＡは、８５．６×０．１０７４×６＝５５．１６１です。
火星ができる時の火星の中心部の電子のラブの軌道は、１．０５８×１０−１０ｍ÷５５．１５８＝１．９１８×１０−１２ｍです。
３０．ガス型惑星の固体は全体の何パーセントか。
地球型惑星のＡと質量の関係はどのようになっているか。
地球は、Ａ＝８５．６×６＝５１３．６で、質量は１です。
水星は、Ａ＝８５．６×０．０５５２７×６＝２８．３８７で、質量は０．０５５２７です。
金星は、８５．６×０．８１５×６＝４１８．５８４で、質量は０．８１５です。
火星は、８５．６×０．１０７４×６＝５５．１６１で、質量は０．１０７４です。
地球型惑星は、５１３．６で、質量１を作ります。
ガス惑星のＡと質量の関係は、Ａ＝地球の質量を１としたガス惑星や星の質量の値  です。
木星は、Ａ＝３１７．８３で、質量は３１７．８３です。
土星は、Ａ＝９５．１６で、質量は９５．１６です。
天王星は、Ａ＝１４．５４で、質量は１４．５４です。
海王星は、Ａ＝１７．１５で、質量は１７．１５です。
太陽は、Ａ＝３．３２９４６×１０５で、質量は３．３２９４６×１０５です。
この事によって、地球型惑星はＡ＝５１３．６で、１の質量を作り、ガス型惑星はＡ＝１で、１の質量を作る。
この事によって、宇宙では地球型惑星は誕生し難い事が理解できます。
ガス型惑星の密度．地球型惑星の密度＝１：５１３．６
即ち、同じ質量の場合、ガス体は固体の１０００：１ですから、密度は、０．００１：１＝１：１０００です。
この事から、ガス型惑星の何パーセントかが固体になっているかがわかります。
ガス型惑星の密度と地球型惑星の密度の比は、
ガス型惑星の密度：地球型惑星の密度＝１：５１３．６です。
地球型惑星の質量を１０００としますと、ガス型惑星の質量は、
ガス型惑星の質量＝１０００÷５１３．６＝１．９４７です。
ガス型惑星の１０００のうち、固体をｘとします。
ガス型惑星の１０００のうちｘが固体です。質量はｘです。
ガス型惑星の１０００のうち気体は、１０００−ｘです。質量は、０．００１×（１０００−ｘ）＝１−０．００１ｘです。
この合計の質量は、ｘ＋１−０．００１ｘ＝１＋（１−０．００１）ｘ＝１＋０．９９９ｘです。
１＋０．９９９ｘ＝１．９４７
ｘ＝（１．９４７−１）÷０．９９９＝０．９４８
ガス型惑星の１０００のうち０．９４８が固体です。
ガス型惑星の１０００のうち、１０００−０．９４８＝９９９．０５２が気体です。この質量は、０．００１×９９９．０５２＝０．９９９０５２です。
よって、ガス型惑星の１００のうち、０．０９４８が固体になっています。
ガス型惑星の０．０９４８パーセントが固体になっている。
星の０．０９４８パーセントが固体になっている。
まとめて表にします。
星や惑星の中心部のＡと電子のラブの公転軌道
2007274897.tif 000004
2007274897.tif 000005
【発明の効果】
【０００６】次の事を理解した。
１、ビッグバンの光子は、軌道は理論どおりで、エネルギーは４．３５×１０−３倍になった。
２、ビッグバンの光子の軌道エネルギーは８．６６５×１０−２４Ｊｍであり、これはラブの軌道エネルギーです。
３、電子のラブも陽子のラブも自転しながら公転します。それで、電子のラブに成った光子と陽子のラブになった光子も自転しながら公転するはずです。
４、現在、宇宙背景輻射は自転しながら公転する光子であるはずです。
陽子のラブに成る光子は、現在、１自転の軌道は、２．３０４×１０−８ｍです。
１自転のエネルギーは、８．６８６×１０−２８Ｊです。
自転軌道エネルギーは、２．００１×１０−３５Ｊｍです。
電子のラブに成る光子は、現在、１自転の軌道は、１．２５７×１０−１１ｍです。
１自転のエネルギーは、４．７３７×１０−３１Ｊです。
自転軌道エネルギーは、５．９５４×１０−４２Ｊｍです。
このような宇宙背景輻射が存在するはずです。
５、背景輻射が２×１０−３ｍである理由。−２７３℃と平衡状態に成るのに３．１６×１０７倍となり、更に、地表は、ビッグバンから１０１４倍になっているから、ビッグバンの光子は、１０−２４ｍ×３．１６×１０７×１０１４＝３．１６×１０−３ｍになる。
６、太陽の原始星は、中心に中性子星が存在するので、中性子星が作る電気の光子と磁気の光子がジェット噴射している。そのジェット噴射によって、ダークマターが集まり、水素となり、核融合反応がおき、周囲から低いジェット噴射が放出する。
７、クエーサーは、１０−１６ｍの場でできる。ここは“ブラックホールの素子”であるダークマターが存在する場です。それで、“ブラックホールの素子”が集まって、クエーサーの中心部と成る。
クエーサーの中心部が太陽の質量の１０９倍であるブラックホールには、１０６６個の電子のラブと陽子のラブが集まりました。この大きさは、１０−４ｍです。
即ち、現在、ボイドになっている所の“ブラックホールの素子”は１０６６個、クエーサーの中心部に集まった。
ここから、ジェット噴射は球状に放出し、“ブラックホールの素子”を集め、ブラックホールの集団を作る。これが銀河の中心となる。銀河の中心は球上にできる。この事によって、銀河は泡状に並んでいる。
８、クエーサーの中心部が太陽の質量の１０９倍のブラックホールである場合、ジェット噴射は、半径１．１２５×１０２０Ｋｍの球上に銀河の中心を作った。それが、現在１００倍に膨張し、半径１．１２５×１０２２Ｋｍの球上に銀河ができている。この大きさが泡の大きさです。
また、半径１．１２５×１０２２Ｋｍの球の内側には銀河は無く、ボイドに成っている。
これは、半径１．１２５×１０２０Ｋｍの球の内側にあった“ブラックホールの素子”は、クエーサーの中心部に引き付けられ、太陽の１０９倍の質量のブラックホールになったからです。
９、ブラックホールの電子のラブと陽子のラブが作る磁気の光子のエネルギーは、ダークマターである自転する電子のラブと陽子のラブが作る磁気の光子のエネルギーの１０７倍であるから、ブラックホールにダークマターは引き付けられる。
１０、第２世代の星の質量は、中心部のブラックホールや中性子星の電子のラブの公転軌道が６．３５３倍に成った時、完成している。
この事によって、原始星のジェット噴射は、電子のラブの軌道が６．３５３倍に成った時消えた、と考える。
１１、太陽と同じように、地球も、現在の状態に成ったのは、中心のエネルギーが１／６になったからである、と考える。
１２、月の位置が、地球の地磁気の６倍離れているのは、地球ができた時、地球の中心部のエネルギーが現在の６倍であったからです。
１３、太陽の原始星の中心にある中性子星が出すジェット噴射は、３×１０１０Ｋｍまで届いた。ここが太陽の原始星が作った太陽圏です。ここに、エッジワース・カイペーベルトの小惑星ができた。
１４、質量からＡを求める事ができた。太陽の質量は、地球の質量を１とすると、３３２９４６であり、これは、太陽の中心部の中性子星のＡの値＝１．９６８×１０５に近い値です。
それで、星やガス型惑星のＡ＝地球の質量を１とする星やガス型惑星の質量の値  です。
１５、太陽の質量の何倍の質量のガス型惑星ができるか。Ｋ倍の質量のガス型惑星ができるとすると、Ｋ＝太陽の中心部の電子のラブの公転軌道÷ガス型惑星の中心部の電子のラブの公転軌道  です。
１６、水星や金星や火星に水素が少ないのは、太陽の核融合反応でできた電気の光子と磁気の光子がジェット噴射し、火星と木星の中間まで届き、その場のダークマターである自転している電子のラブと陽子のラブを集めたためです。
１７、現在、太陽の中心にある中性子星は、４．７×１０９ｍまで届き、太陽圏を作り、太陽風をストップさせ、宇宙線を入れないようにしている。
１８、クエーサーのジェット噴射が作ったのは、銀河の中心のブラックホールです。この宇宙の場は、電子のラブの公転軌道が１０−１６ｍの場ですから、ブラックホールの集まりである銀河の中心ができました。
太陽の原始星のジェット噴射が作ったのは、エッジワース・カイパーベルトの小惑星と火星と木星の間の小惑星です。この宇宙の場は、電子のラブの公転軌道が１０−１４ｍの場ですから、小惑星ができました。
この事から、宇宙の場が、電子のラブの公転軌道が１０−１５ｍの場である場合、ジェット噴射によってできる物は星です。
１９、地球型惑星はＡ＝５１３．６で、１の質量を作り、ガス型惑星はＡ＝１で、１の質量を作る。
この事によって、宇宙では地球型惑星は誕生し難い事が理解できます。
２０、ガス型惑星の０．０９４８パーセントが固体になっている。
星の０．０９４８パーセントが固体になっている。
【図面の簡単な説明】
【０００７】
【図１】現在、宇宙背景輻射は、自転しながら公転する光子であるはずです。陽子のラブに成る光子の自転軌道は、２．３×１０−８ｍで、自転軌道エネルギーは、２．×１０−３５Ｊｍです。電子のラブに成る光子の自転軌道は、１．２５７×１０−１１ｍで、自転軌道エネルギーは、５．９５４×１０−４２Ｊｍです。
【図２】クエーサーは、電子のラブの公転軌道が１０−１６ｍの場でできる。ここは、“ブラックホールの素子”の場です。クエーサーの中心部が太陽の１０９倍の質量のブラックホールである場合。“ブラックホールの素子”である、自転軌道が１０−２４ｍの電子のラブと陽子のラブが１０６６個ずつ集まる。この大きさは１０−４ｍです。ジェット噴射は、半径１．１２５×１０２０Ｋｍの球上に銀河の中心を作った。それが、現在１００倍に膨張し、半径１．１２５×１０２２Ｋｍの球上に銀河ができている。この大きさが泡の大きさです。また、半径１．１２５×１０２２Ｋｍの球の内側には銀河は無く、ボイドに成っている。これは、半径１．１２５×１０２０Ｋｍの球の内側にあった“ブラックホールの素子”は、クエーサーの中心部に引き付けられ、太陽の１０９倍の質量のブラックホールになったからです。
【図３】宇宙背景輻射が２×１０−３ｍである理由。−２７３℃と平衡状態に成るのに３．１６×１０７倍となり、更に、地表の軌道は、ビッグバンから１０１４倍になっているから、ビッグバンの光子は、１０−２４ｍ×３．１６×１０７×１０１４＝３．１６×１０−３ｍになる。
【図４】太陽の原始星の中心にある中性子星のＡ＝１．９６８×１０５、電子のラブの軌道＝５．３７６×１０−１６ｍ。中性子星が作った磁気の光子と電気の光子が届いた距離＝３×１０１０Ｋｍ。そこに、原始星が作った太陽圏ができ、エッジワース・カイパーベルトの小惑星ができた。核融合反応の場のＡ＝３．８７３×１０３、電子のラブの軌道＝２．７３２×１０−１４ｍ。核融合反応の場でできた磁気の光子と電気の光子が届いた距離＝５．９×１０８Ｋｍ。そこに、火星と木星の間の小惑星ができた。
【図５】現在、太陽の中心部にある中性子星のＡ＝３．１×１０４、電子のラブの軌道＝３．４１５×１０−１５ｍ。中性子星が作る磁気の光子と電気の光子が届く距離＝４．７×１０９Ｋｍ。そこで、太陽風が止まる。そこで、宇宙線が入れない。
【図６】月ができた時、地球の地磁気は現在の６倍のエネルギーだった。地球の中心部のＡ＝５１３．６、電子のラブの軌道＝２．０６×１０−１３ｍ  月と地球の距離は、現在の地磁気の６倍。
【図７】太陽に原始星と惑星ができた時のＡ（地表のエネルギーの何倍のエネルギーかを示す値。）地球型惑星はＡ＝５１３．６で、１の質量を作り、ガス型惑星はＡ＝１で、１の質量を作る。この事によって、宇宙には地球型惑星は誕生し難い事が理解できます。この事により、ガス型惑星の０．０９４８パーセントが固体になっている。星の０．０９４８パーセントが固体になっている。太陽の原始星のＡ＝３．３２９×１０５  水星のＡ＝２８．３８６  金星のＡ＝４１８．５８４  地球のＡ＝５１３．６  火星のＡ＝５５．１６１  木星のＡ＝３１７．８３  土星のＡ＝９５．１６  天王星のＡ＝１４．５４  海王星のＡ＝１７．１５
【符号の説明】
【０００８】１  宇宙背景輻射
２  陽子のラブに成る光子
３  電子のラブに成る光子
４  クエーサーの中心部で、太陽の１０９倍の質量のブラックホール
５  “ブラックホールの素子”である、自転軌道が１０−２４ｍの電子のラブと陽子のラブ＝点
６  クエーサーのジェット噴射
７  銀河の中心
８  現在１００倍に膨張し、半径１．１２５×１０２２Ｋｍの球上に銀河ができている。
９  １個の泡宇宙
１０  ボイド
１１  ビッグバンの光子
１２−２７３℃と平衡状態に成るのに３．１６×１０７倍となる。
１３  地表の軌道は、ビッグバンから１０１４倍になっている。
１４  太陽の原始星の中心にある中性子星
１５  太陽の原始星の中心にある中性子星が作ったジェット噴射
１６  中性子星が作った磁気の光子と電気の光子が届いた距離＝３×１０１０Ｋｍ。
１７  原始星が作った太陽圏
１８  エッジワース・カイパーベルトの小惑星
１９  核融合反応の場でできたジェット噴射
２０  核融合反応の場でできた磁気の光子と電気の光子が届いた距離＝５．９×１０８Ｋｍ。
２１  火星と木星の間の小惑星
２２  現在、太陽の中心部にある中性子星
２３  中性子星が作る磁気の光子と電気の光子が届く距離＝４．７×１０９Ｋｍ。
２４  太陽風
２５  宇宙線
２６  月ができた時の地球
２７  月ができた時、地球の地磁気は現在の６倍のエネルギーだった。
２８  月
２９  月と地球の距離は、現在の地磁気の６倍。
３０  太陽の原始星のＡ＝３．３２９×１０５
３１  水星のＡ＝２８．３８６
３２  金星のＡ＝４１８．５８４
３３  地球のＡ＝５１３．６
３４  火星のＡ＝５５．１６１
３５  木星のＡ＝３１７．８３
３６  土星のＡ＝９５．１６
３７  天王星のＡ＝１４．５４
３８  海王星のＡ＝１７．１５
【図１】
2007274897.tif 000009
【図２】
2007274897.tif 000010
【図３】
2007274897.tif 000011
【図４】
2007274897.tif 000012
【図５】
2007274897.tif 000013
【図６】
2007274897.tif 000014
【図７】
2007274897.tif 000015